(57)【要約】【課題】動画像を分割した場合に、時系列順で直前の動画像の内容が分かるようにする。【解決手段】分割部１６が分割元の動画像ファイルを分割する際に、時系列順で最初の動画像ファイル以外の他の動画像ファイルについて、時系列順で直前の動画像ファイルの終了部分を所定量オーバーラップさせて変換元の動画像ファイルを分割する。その際、例えば、分割により取得される動画像ファイルの最大ファイル容量である所定容量、分割により取得される動画像ファイルの最大ビットレート、および変換元の動画像ファイルのファイル容量と所定容量との関係のうちの少なくとも１つに基づいて、オーバーラップさせる量を決定することが好ましい。【選択図】図１
2008236340.tif 000002
【特許請求の範囲】
【請求項１】
分割元の動画像ファイルを、該動画像ファイルの容量よりも小さい所定容量内に収まるように分割する動画像分割装置において、
前記分割により取得される各動画像ファイルのうち、時系列順で最初の動画像ファイル以外の他の動画像ファイルについて、時系列順で直前の動画像ファイルの終了部分を所定量オーバーラップさせて前記分割元の動画像ファイルを分割する分割手段を備えたことを特徴とする動画像分割装置。
【請求項２】
前記分割手段は、前記所定容量、分割により取得される動画像ファイルの最大ビットレート、および前記分割元の動画像ファイルのファイル容量と前記所定容量との関係のうちの少なくとも１つに基づいて、前記オーバーラップさせる所定量を決定する手段であることを特徴とする請求項１記載の動画像分割装置。
【請求項３】
分割元の動画像ファイルを、該動画像ファイルの容量よりも小さい所定容量内に収まるように分割する動画像分割方法において、
前記分割により取得される各動画像ファイルのうち、時系列順で最初の動画像ファイル以外の他の動画像ファイルについて、時系列順で直前の動画像ファイルの終了部分を所定量オーバーラップさせて前記分割元の動画像ファイルを分割することを特徴とする動画像分割方法。
【請求項４】
分割元の動画像ファイルを、該動画像ファイルの容量よりも小さい所定容量内に収まるように分割する動画像分割方法をコンピュータに実行させるためのプログラムにおいて、
前記分割により取得される各動画像ファイルのうち、時系列順で最初の動画像ファイル以外の他の動画像ファイルについて、時系列順で直前の動画像ファイルの終了部分を所定量オーバーラップさせて前記分割元の動画像ファイルを分割する手順を有することを特徴とするプログラム。
【発明の詳細な説明】
【技術分野】
【０００１】
本発明は、分割元の動画像ファイルを分割する動画像分割装置および方法並びに動画像分割方法をコンピュータに実行させるためのプログラムに関するものである。
【背景技術】
【０００２】
インターネットを介して動画像を配信することが行われているが、配信先がパソコンである場合、どのパソコンであっても動画像を表示することができる。しかしながら、携帯電話等の携帯端末においては、携帯端末のキャリア、製造メーカーおよび機種に応じて動画像表示能力が異なる。このため、携帯端末を対象として動画像を配信する場合には、その表示能力に応じた動画像ファイルを用意する必要がある。
【０００３】
例えば、特許文献１には、動画像を配信する配信先端末の表示能力に応じて動画像の圧縮率を決定し、その圧縮率により動画像を圧縮して配信する手法が提案されている（特許文献１参照）。また、端末における表示可能なファイルサイズとなるように動画像を分割して配信する手法も提案されている。
【特許文献１】特開２００６−１２１６１４号公報
【発明の開示】
【発明が解決しようとする課題】
【０００４】
上述したように端末において表示可能なファイルサイズとなるように動画像を分割して配信することにより、長時間の動画像であっても携帯端末装置においてその内容を知ることができる。しかしながら、分割された動画像の再生の間隔が空いてしまうと、動画像の配信を受けたユーザは直前に再生した動画像の内容を忘れてしまっていることがある。この場合、ユーザは直前の動画像を再度再生して内容を確認するという無駄な作業を行う必要がある。
【０００５】
本発明は上記事情に鑑みなされたものであり、動画像を分割した場合に、時系列順で直前の動画像の内容が容易に分かるようにすることを目的とする。
【課題を解決するための手段】
【０００６】
本発明による動画像分割装置は、分割元の動画像ファイルを、該動画像ファイルの容量よりも小さい所定容量内に収まるように分割する動画像分割装置において、
前記分割により取得される各動画像ファイルのうち、時系列順で最初の動画像ファイル以外の他の動画像ファイルについて、時系列順で直前の動画像ファイルの終了部分を所定量オーバーラップさせて前記分割元の動画像ファイルを分割する分割手段を備えたことを特徴とするものである。
【０００７】
なお、本発明による動画像分割装置においては、前記分割手段を、前記所定容量、分割により取得される動画像ファイルの最大ビットレート、および前記分割元の動画像ファイルのファイル容量と前記所定容量との関係のうちの少なくとも１つに基づいて、前記オーバーラップさせる所定量を決定する手段としてもよい。
【０００８】
本発明による動画像分割方法は、分割元の動画像ファイルを、該動画像ファイルの容量よりも小さい所定容量内に収まるように分割する動画像分割方法において、
前記分割により取得される各動画像ファイルのうち、時系列順で最初の動画像ファイル以外の他の動画像ファイルについて、時系列順で直前の動画像ファイルの終了部分を所定量オーバーラップさせて前記分割元の動画像ファイルを分割することを特徴とするものである。
【０００９】
なお、本発明による動画像分割方法をコンピュータに実行させるためのプログラムとして提供してもよい。
【発明の効果】
【００１０】
本発明によれば、分割により取得される各動画像ファイルのうち、時系列順で最初の動画像ファイル以外の他の動画像ファイルについて、時系列順で直前の動画像ファイルの終了部分が所定時間オーバーラップされる。このため、動画像ファイルを表示すると時系列順で直前の動画像ファイルの終了部分が所定時間表示されることとなり、その結果、直前の動画像ファイルを再度再生しなくても直前の動画像ファイルの内容を知ることができる。
【００１１】
また、分割により取得される動画像ファイルの所定容量、分割により取得される動画像ファイルの最大ビットレートおよび分割元の動画像ファイルのファイル容量と所定容量との関係のうちの少なくとも１つに基づいてオーバーラップさせる所定量を決定することにより、オーバーラップさせる量を適切に定めることができる。
【発明を実施するための最良の形態】
【００１２】
以下、図面を参照して本発明の実施形態について説明する。図１は本発明の本実施形態による動画像分割装置を適用した動画像変換装置の構成を示す概略ブロック図である。図１に示すように、本実施形態による動画像変換装置１は、変換元の動画像ファイルを、各種携帯端末が表示可能な複数種類のファイルフォーマットの動画像ファイルに変換するものであり、動画像ファイルの入力を受け付ける動画像入力部１０と、ファイル構成要件の入力を受け付けるファイル構成要件入力部１２と、動画像を後述するようにファイル構成要素に変換する変換部１４と、ファイル構成要件に最大ファイル容量が含まれるファイルフォーマットについては、ファイル容量が最大ファイル容量以内となるように、ファイル構成要素を分割する分割部１６と、ファイル構成要素から各ファイルフォーマットの動画像ファイルを生成するファイル生成部１８とを備える。
【００１３】
動画像入力部１０は、メディアに記録された変換元の動画像ファイルＭ０を読み出すメディアスロットおよびネットワーク経由で送信された動画像ファイルＭ０の入力を受け付けるネットワークインターフェース等からなる。なお、変換元の動画像ファイルＭ０は汎用的にパソコンで再生可能な、例えば、ＭＰＥＧおよびｗｍｖ等のファイルフォーマットからなる。
【００１４】
ファイル構成要件入力部１２は、メディアに記録されたファイル構成要件を読み出すメディアスロットおよびネットワーク経由で送信されたファイル構成要件の入力を受け付けるネットワークインターフェース等からなる。
【００１５】
ここで、ファイル構成要件とは、携帯端末の種類に応じた各種ファイルフォーマットの動画像ファイルを構成する、映像および音声を含むファイル構成要素の構成要件を表すものである。図２は各種ファイルフォーマットのファイル構成要件を示す図である。なお、本実施形態においては例えば変換元の動画像ファイルＭ０を、１１種類のファイルフォーマットの動画像ファイルＭ１〜Ｍ１１に変換するものとする。
【００１６】
図２に示すように、１１種類のフォーマットはフォーマット名としてＡＭＣ、３ＧＰＰおよび３ＧＰＰ２を含む。ファイル構成要素は、映像、音声および付加情報からなる。映像のファイル構成要件には、映像方式、解像度、最大ビットレートおよびフレームレートを含む。なお、映像方式には、ＭＰＥＧ４およびＨ．２６４を含む。解像度には、ＱＣＩＦおよびＱＶＧＡを含む。最大ビットレートには、３２ｋｂｐｓ、６４ｋｂｐｓおよび１２８ｋｂｐｓを含む。フレームレートには、７．５および１０を含む。
【００１７】
音声のファイル構成要件には、音声方式、最大ビットレート、サンプリング周波数およびチャンネル数を含む。音声方式には、ＱＣＥＬＰおよびＡＡＣを含む。最大ビットレートには、１４ｋｂｐｓおよび６４ｋｂｐｓを含む。サンプリング周波数には、８ＫＨｚおよび２２．０５ＫＨｚを含む。チャンネル数には、１および２を含む。
【００１８】
なお、最大ファイル容量はファイル構成要件に含む。また、付加情報には、再配布の可否およびコメントを含む。
【００１９】
変換部１４は、図２に示すパターン毎に動画像ファイルＭ０をファイル構成要素に変換する。例えば、パターン１については、動画像ファイルＭ０を構成する映像データを、解像度がＱＣＩＦ、最大ビットレートが３２ｋｂｐｓ、フレームレートが７．５のＭＰＥＧ４方式の映像のファイル構成要素に、動画像ファイルＭ０を構成する音声データを最大ビットレートが１４ｋｂｐｓ、サンプリング周波数が８ＫＨｚ、チャンネル数が１のＱＣＰＬＥ方式の音声のファイル構成要素に変換する。
【００２０】
分割部１６は、生成される動画像ファイルＭ１〜Ｍ１１のファイル容量が最大ファイル容量内に収まるように、映像および音声のファイル構成要素を分割する。まず分割部１６は、分割により取得される動画像ファイルの最大ファイル容量および最大ビットレート、並びに動画像ファイルＭ０の再生時間に基づいて、映像および音声のファイル構成要素を分割する必要があるか否かを判定し、分割する必要があると判定された場合に映像および音声のファイル構成要素を分割する。例えば、パターン２の場合、最大ビットレートが６４ｋｂｐｓ、最大ファイル容量が３００ＫＢであるため、動画像ファイルＭ０の再生時間が３００ＫＢ／６４ｋｂｐｓ＝３７．５秒（１ＫＢ＝８ｂｉｔ）を越える場合に分割する必要があると判定する。
【００２１】
その際、分割により取得される映像ファイル構成要素のうち、時系列順で最初の映像ファイル構成要素以外の他の映像ファイル構成要素について、時系列順で直前の動画像の終了部分をオーバーラップさせる。なお、オーバーラップ量は、変換するファイルフォーマットの最大ファイル容量に応じてあらかじめ定められている。例えば、図３に示すように、最大ファイル容量が３００ＫＢの場合には３０ＫＢ、１ＭＢの場合には１００ＫＢ、２ＭＢの場合には２００ＫＢというように、最大ファイル容量の１０％に定められている。なお、５ＭＢの場合には２００ＫＢと定められている。
【００２２】
ここで、５ＭＢの場合に２００ＫＢとしたのは、最大ファイル容量が多い場合に、オーバーラップ量を最大ファイル容量の１０％とすると、オーバーラップ時間が長すぎて、本来見たい動画像が表示されるまでに時間を要するからである。
【００２３】
ここで、最大ファイル容量のみならず、変換するファイルフォーマットの最大ビットレートに応じてオーバーラップ量を定めるようにしてもよい。例えば、図４に示すように、最大ビットレートが６４ｋｂｐｓの場合には２４ＫＢ、１２８ｋｂｐｓの場合には４８ＫＢ、１９２ｋｂｐｓの場合には７２ＫＢに定めるようにしてもよい。なお、この場合、オーバーラップ量は３秒となる。
【００２４】
さらに、図５に示すように、変換するファイルフォーマットの最大ファイル容量および最大ビットレートの双方に応じて、オーバーラップ量を定めるようにしてもよい。この場合、最大ファイル容量の１０％およびオーバーラップ時間３秒の小さい方をオーバーラップ量としている。
【００２５】
ファイル生成部１８は、変換部１４が生成し、さらに必要な場合に分割部１６が分割した映像および音声のファイル構成要素から各ファイルフォーマットの動画像ファイルＭ１〜Ｍ１１を生成する。すなわち、映像および音声のファイル構成要素が分割されていない場合、映像および音声のファイル構成要素を多重化し、必要な付加情報を付与することにより動画像ファイルＭ１〜Ｍ１１を生成する。一方、映像および音声のファイル構成要素が分割された場合、分割された映像および音声のファイル構成要素毎に付加情報を多重化して複数の動画像ファイルＭｉＤｊ（ｉ＝１〜ｎ（ｎは分割数）、ｊ〜１〜１１）を生成する。
【００２６】
次いで、本実施形態において行われる処理について説明する。図６は本実施形態において行われる処理を示すフローチャートである。不図示の入力部からファイルフォーマット変換の指示が行われることにより装置１が処理を開始し、動画像入力部１０が変換元の動画像ファイルＭ０の入力を、ファイル構成要件入力部１２がファイル構成要件の入力を受け付ける（ステップＳＴ１）。
【００２７】
次いで、変換部１４がファイルフォーマットを変換するパターンを最初のパターンに設定し（ステップＳＴ２）、パターンのファイル構成要件にしたがって動画像ファイルＭ０を変換して映像および音声のファイル構成要素を生成する（ステップＳＴ３）。
【００２８】
次いで、分割部１６が、映像および音声のファイル構成要素の分割が必要か否かを判定し（ステップＳＴ４）、ステップＳＴ４が肯定されると、オーバーラップ量を決定して（ステップＳＴ５）、生成される動画像ファイルが最大ファイル容量に収まるように、映像および音声のファイル構成要素を分割する（ステップＳＴ６）。なお、ステップＳＴ４が否定された場合は、後述するステップＳＴ７に進む。
【００２９】
そして、ファイル生成部１８が、映像および音声のファイル構成要素並びに付加情報を多重化して動画像ファイルを生成する（ステップＳＴ７）。ここで、映像および音声のファイル構成要素が分割された場合には、分割された映像および音声のファイル構成要素毎に付加情報を多重化して複数の動画像ファイルを生成する。映像および音声のファイル構成要素が分割されなかった場合には、映像および音声のファイル構成要素に付加情報を多重化して１つの動画像ファイルを生成する。
【００３０】
そして、すべてのパターンについて変換を終了したか否かを判定し（ステップＳＴ８）、ステップＳＴ８が否定されると、ファイルフォーマットを変換するパターンを次のパターンに設定し（ステップＳＴ９）、ステップＳＴ３に戻り、ステップＳＴ３以降の処理を繰り返す。ステップＳＴ９が肯定されると処理を終了する。
【００３１】
このように、本実施形態においては、分割により得られる各動画像ファイルのうち、時系列順で最初の動画像ファイル以外の他の動画像ファイルについて、時系列順で直前の動画像の終了部分がオーバーラップされるため、動画像ファイルを表示すると時系列順で前の動画像ファイルの終了部分が所定時間表示されることとなり、その結果、直前の動画像ファイルを再度再生しなくても直前の動画像ファイルの内容を知ることができる。
【００３２】
なお、上記第１の実施形態においては、最大ファイル容量および／または最大ビットレートに基づいてオーバーラップ量を定めているが、動画像ファイルＭ０を分割することにより取得される動画像ファイルの容量も考慮してオーバーラップ量を定めてもよい。例えば、ファイルフォーマットを変換すると５５０ＫＢとなる動画像ファイルＭ０を最大ファイル容量が３００ＫＢとなるように分割する場合、図７（ａ）に示すように分割により取得される２つの動画像ファイルＭｉＤ１，ＭｉＤ２の容量が同一となるように、オーバーラップ量を５０ＫＢとして２つの３００ＫＢの容量の動画像ファイルＭｉＤ１，ＭｉＤ２となるように分割を行ってもよい。なお、図７においては１つの□が５０ＫＢの容量を表す。また、ファイルフォーマットを変換すると４００ＫＢとなる動画像ファイルＭ０を最大ファイル容量が３００ＫＢとなるように分割する場合、図７（ｂ）に示すように、分割により取得される２つの動画像ファイルＭｉＤ１，ＭｉＤ２の容量が同一となるように、オーバーラップ量を２００ＫＢとして２つの３００ＫＢの容量の動画像ファイルＭｉＤ１，ＭｉＤ２となるように分割を行ってもよい。
【００３３】
以上、本発明の実施形態に係る装置１について説明したが、コンピュータを、上記の変換部１４、分割部１６およびファイル生成部１８に対応する手段として機能させ、図６に示すような処理を行わせるプログラムも、本発明の実施形態の１つである。また、そのようなプログラムを記録したコンピュータ読取り可能な記録媒体も、本発明の実施形態の１つである。
【図面の簡単な説明】
【００３４】
【図１】本発明の第１の実施形態による動画像変換装置の構成を示す概略ブロック図
【図２】各種ファイルフォーマットのファイル構成要件を示す図
【図３】最大ファイル容量とオーバーラップ量との関係を示す図
【図４】最大ビットレートとオーバーラップ量との関係を示す図
【図５】最大ファイル容量および最大ビットレートとオーバーラップ量との関係を示す図
【図６】第１の実施形態において行われる処理を示すフローチャート
【図７】オーバーラップ量の決定の他の態様を説明するための図
【符号の説明】
【００３５】
１    動画像変換装置
１０    動画像入力部
１２    ファイル構成要件入力部
１４    変換部
１６    分割部
１８    ファイル生成部
【図１】
2008236340.tif 000003
【図２】
2008236340.tif 000004
【図３】
2008236340.tif 000005
【図４】
2008236340.tif 000006
【図５】
2008236340.tif 000007
【図６】
2008236340.tif 000008
【図７】
2008236340.tif 000009